(57)【要約】【課題】同乗者に知られたくない楽曲情報を同乗者に知られないようにすることを可能とする。【解決手段】車両に同乗者が存在するか否かを判定し（Ｓ３０４）、車両に同乗者が存在すると判定された場合、記憶装置１１に記憶された楽曲から同乗者の嗜好に合わない楽曲を除外した表示リストを作成し（Ｓ３１６）、あるいは、ユーザ操作により指定された非表示とする楽曲を除外した表示リストを作成し（Ｓ３１８）、作成した表示リストに従って楽曲情報を表示部１２に表示させる（Ｓ３０８）。【選択図】図７
2009176338.tif 000002
【特許請求の範囲】
【請求項１】
車両に搭載され、記憶媒体に記憶された楽曲の楽曲情報を表示部に表示させる機能を有する車載オーディオ装置であって、
前記車両に同乗者が存在するか否かを判定する同乗者判定手段と、
前記同乗者判定手段により前記車両に同乗者が存在すると判定された場合、前記記憶媒体に記憶された楽曲から特定の楽曲を除外した表示リストを作成する表示リスト作成手段と、
前記表示リスト作成手段により作成された前記表示リストに従って楽曲情報を表示部に表示させる表示制御手段と、を備えたことを特徴とする車載オーディオ装置。
【請求項２】
前記表示リスト作成手段は、前記記憶媒体に記憶された楽曲から、ユーザ操作により指定された特定の楽曲を除外した表示リストを作成することを特徴とする請求項１に記載の車載オーディオ装置。
【請求項３】
前記記憶手段には、前記車両に同乗する可能性のある人物毎に当該人物の嗜好に合わない楽曲を表す情報が記憶されており、
前記同乗者判定手段により前記車両に同乗者が存在すると判定された場合、前記同乗者を識別する同乗者識別手段と、
前記同乗者識別手段により識別された前記同乗者の嗜好に合わない楽曲を表す情報が前記記憶手段に記憶されているか否かを判定する嗜好情報記憶判定手段と、を備え、
前記表示リスト作成手段は、前記嗜好情報記憶判定手段により前記同乗者の嗜好に合わない楽曲を表す情報が前記記憶手段に記憶されていると判定された場合、前記記憶媒体に記憶された楽曲から前記同乗者識別手段により識別された前記同乗者の嗜好に合わない楽曲を除外した表示リストを作成することを特徴とする請求項１に記載の車載オーディオ装置。
【請求項４】
前記同乗者の嗜好に合わない楽曲を表す情報は、前記記憶媒体に記憶された楽曲の再生時における同乗者による再生中断操作または音量低下操作に応じて特定されたものであることを特徴とする請求項３に記載の車載オーディオ装置。
【請求項５】
前記同乗者の嗜好に合わない楽曲を表す情報は、楽曲のタイトル名、楽曲のアーティスト名および楽曲のジャンルのいずれかを表す情報であることを特徴とする請求項３または４に記載の車載オーディオ装置。
【発明の詳細な説明】
【技術分野】
【０００１】
本発明は、車両に搭載され、記憶媒体に記憶された楽曲の楽曲情報を表示部に表示させる機能を有する車載オーディオ装置に関するものである。
【背景技術】
【０００２】
この種の装置として、ハードディスク装置に記憶された音楽データを、予め定められたリスト順に管理し、音楽データの再生履歴を示す複数のパラメータに基づいて各音楽データに重み付け係数を付与する処理を行うと共に、この重み付け係数の順序に従って出力音楽データを出力するものがある（例えば、特許文献１参照）。
【特許文献１】特開２００６−２６０６４８号公報
【発明の開示】
【発明が解決しようとする課題】
【０００３】
上記したようなオーディオ再生装置は、記憶媒体に記憶された全ての楽曲のタイトルやアーティスト名等の楽曲情報が表示可能となっているので、同乗者に知られたくない楽曲情報が記憶媒体に記憶されている場合、その同乗者に知られたくない楽曲情報が表示され、同乗者に知られてしまう可能性があるといった問題がある。
【０００４】
本発明は上記問題に鑑みたもので、同乗者に知られたくない楽曲情報を同乗者に知られないようにすることが可能な車載オーディオ装置を提供することを目的とする。
【課題を解決するための手段】
【０００５】
上記目的を達成するため、請求項１に記載の発明は、車両に搭載され、記憶媒体に記憶された楽曲の楽曲情報を表示部に表示させる機能を有する車載オーディオ装置であって、車両に同乗者が存在するか否かを判定する同乗者判定手段と、同乗者判定手段により車両に同乗者が存在すると判定された場合、記憶媒体に記憶された楽曲から特定の楽曲を除外した表示リストを作成する表示リスト作成手段と、表示リスト作成手段により作成された表示リストに従って楽曲情報を表示部に表示させる表示制御手段と、を備えたことを特徴としている。
【０００６】
このような構成では、車両に同乗者が存在すると判定された場合、記憶媒体に記憶された楽曲から特定の楽曲を除外した表示リストを作成し、この表示リストに従って楽曲情報が表示部に表示されるので、同乗者に知られたくない楽曲情報を同乗者に知られないようにすることが可能である。
【０００７】
また、請求項２に記載の発明は、表示リスト作成手段が、記憶媒体に記憶された楽曲から、ユーザ操作により指定された特定の楽曲を除外した表示リストを作成することを特徴としている。
【０００８】
このような構成では、記憶媒体に記憶された楽曲から、ユーザ操作により指定された特定の楽曲を除外した表示リストが作成される。すなわち、同乗者に知られたくない楽曲情報をユーザ操作により指定することにより、その同乗者に知られたくない楽曲情報を表示部に表示させないようにすることができる。
【０００９】
また、請求項３に記載の発明は、記憶手段には、車両に同乗する可能性のある人物毎に当該人物の嗜好に合わない楽曲を表す情報が記憶されており、同乗者判定手段により車両に同乗者が存在すると判定された場合、同乗者を識別する同乗者識別手段と、同乗者識別手段により識別された同乗者の嗜好に合わない楽曲を表す情報が記憶手段に記憶されているか否かを判定する嗜好情報記憶判定手段と、を備え、表示リスト作成手段は、嗜好情報記憶判定手段により同乗者の嗜好に合わない楽曲を表す情報が記憶手段に記憶されていると判定された場合、記憶媒体に記憶された楽曲から同乗者識別手段により識別された同乗者の嗜好に合わない楽曲を除外した表示リストを作成することを特徴としている。
【００１０】
このような構成では、同乗者の嗜好に合わない楽曲を表す情報が記憶手段に記憶されていると判定された場合、記憶媒体に記憶された楽曲から同乗者の嗜好に合わない楽曲を除外した表示リストが作成される。すなわち、同乗者の嗜好に合わない楽曲情報を表示部に表示させないようにすることができる。
【００１１】
また、請求項４に記載の発明は、同乗者の嗜好に合わない楽曲を表す情報は、記憶媒体に記憶された楽曲の再生時における同乗者による再生中断操作または音量低下操作に応じて特定されたものであることを特徴としている。
【００１２】
このように、記憶媒体に記憶された楽曲の再生時における同乗者による再生中断操作または音量低下操作に応じて同乗者の嗜好に合わない楽曲を表す情報を特定することができる。
【００１３】
また、請求項５に記載の発明は、同乗者の嗜好に合わない楽曲を表す情報は、楽曲のタイトル名、楽曲のアーティスト名および楽曲のジャンルのいずれかを表す情報であることを特徴としている。
【００１４】
このように、同乗者の嗜好に合わない楽曲を表す情報は、楽曲のタイトル名、楽曲のアーティスト名および楽曲のジャンルのいずれかを表す情報とすることができる。
【発明を実施するための最良の形態】
【００１５】
（第１実施形態）
本発明の第１実施形態に係る車載オーディオ装置の構成を図１に示す。本車載オーディオ装置１は、操作部１０、記憶装置１１、表示部１２、オーディオ制御部１３、アンプ（図中では、ＡＭＰと記す）１４、赤外線センサ１５およびＣＰＵ１６を備えている。
【００１６】
操作部１０は、表示部１２のディスプレイの前面に重ねて設けられたタッチスイッチ、表示部１２のディスプレイの周囲等に設けられた各種押しボタンスイッチ等により構成され、ユーザのスイッチ操作に応じた信号をＣＰＵ１６へ出力する。
【００１７】
記憶装置１１は、ハードディスクドライブ、フラッシュメモリ等の不揮発性記憶媒体を有し、この不揮発性記憶媒体に各種データを記憶する。
【００１８】
表示部１２は、液晶等のディスプレイを有し、ＣＰＵ１６から入力される映像信号に応じた映像をディスプレイに表示させる。
【００１９】
オーディオ制御部１３は、ＣＰＵ１６から入力される再生指示信号に応じてＣＤ、ＤＶＤ等の記憶媒体から楽曲データを読み出して再生した再生データをＣＰＵ１６へ出力する再生処理、ＣＰＵ１６から入力されるトラックアップ指示またはトラックダウン指示に応じて再生する楽曲を変更する楽曲変更処理等がある。
【００２０】
アンプ１４は、オーディオ制御部１３より入力される音声信号を増幅して車両内に取り付けられたスピーカ１７より音声出力させる。
【００２１】
マイク１８は、車室内の乗員の音声を集音するためのものであり、車室内の乗員の音声に応じた音声信号をＣＰＵ１６へ出力する。
【００２２】
赤外線センサ１５は、車載オーディオ装置１の前面パネルの助手席側に設けられており、助手席の乗員がタッチスイッチを操作する際に、その乗員の手を非接触で検出する。
【００２３】
ＣＰＵ１６は、図示しないＲＯＭを有し、このＲＯＭに記憶されたプログラムに従って各種処理を実施する。ＣＰＵ１６の処理には、マイク１８を用いて集音した車室内の乗員の音声と、予め記憶しておいた乗員の音声を比較して同乗者の有無および乗員の特定を行う乗員特定処理、記憶装置１１から記憶装置１１に記憶された楽曲のタイトル名、アーティスト名、ジャンル等を表す楽曲情報を取得して表示リストを作成し、この表示リストに従って表示部１２のディスプレイに楽曲情報を表示させる楽曲情報表示処理、乗車する可能性のある人物の楽曲に関する嗜好情報を手動操作で登録する嗜好情報手動登録処理、車両に同乗者が存在する場合に非表示とする楽曲を特定するための非表示楽曲特定処理等がある。
【００２４】
まず、嗜好情報手動登録処理について説明する。図２に、嗜好情報登録処理のフローチャートを示す。ユーザの操作により嗜好情報手動登録処理の開始が指示されると、ＣＰＵ１６は、図２に示す嗜好情報登録処理を開始する。
【００２５】
まず、嗜好編集要求があるか否かを判定する（Ｓ１００）。具体的には、嗜好情報の編集を指示するための画面を表示させ、嗜好情報の編集を指示する操作があるか否かを判定する。
【００２６】
ユーザにより嗜好情報の編集を指示する操作がなされると、Ｓ１００の判定はＹＥＳとなり、次に、登録者リスト画面を表示させる（Ｓ１０２）。図３に、登録者リスト画面の表示例を示す。この図には、「奥さん」、「Ａさん」、「Ｂさん」、「Ｃさん」が登録されている場合の表示例が示されている。
【００２７】
Ｓ１０４では、終了要求があるか否かを判定する。具体的には、登録者リスト画面の「戻る」の表示部が選択操作されたか否かに基づいて終了要求があるか否かを判定する。
【００２８】
また、Ｓ１０６では、登録者情報表示要求が有るか否かを判定する。具体的には、登録者リスト画面における特定の登録者または「未登録」の表示部が選択操作されたか否かを判定する。
【００２９】
登録者リスト画面の「戻る」の表示部が選択操作されると、Ｓ１０４の判定はＹＥＳとなり、本処理を終了する。
【００３０】
また、「戻る」の表示部が選択操作されることなく、特定の登録者または「未登録」の表示部が選択操作されると、Ｓ１０４の判定はＮＯ、Ｓ１０６の判定はＹＥＳとなり、次に、登録者嗜好情報表示画面を表示させる（Ｓ１０８）。図３に示した登録者リスト画面で、「奥さん」が選択操作された場合の登録者嗜好情報表示画面の表示例を図４に示す。図に示すように、登録者嗜好情報表示画面には、記憶装置１１に記憶されている各楽曲に対し、好みに合わないジャンル（ＮＧジャンル）、好みに合うジャンル（ＯＫジャンル）、好みに合わない楽曲名（ＮＧ曲名）、好みに合う楽曲名（ＯＫ曲名）といった楽曲に対する嗜好を表す情報が表示されている。
【００３１】
Ｓ１１０では、登録者嗜好情報表示画面に表示された「戻る」の表示部が選択操作されたか否かに基づいて終了要求があるか否かを判定する。
【００３２】
Ｓ１１２では、登録者嗜好情報表示画面に表示された「編集」の表示部が選択操作されたか否かに基づいて登録内容編集要求があるか否かを判定する。
【００３３】
登録者嗜好情報表示画面に表示された「編集」の表示部が選択操作された場合、Ｓ１１０の判定はＮＯ、Ｓ１１２の判定はＹＥＳとなり、編集画面を表示させ、操作部の操作に応じて変更された登録内容を表示する（Ｓ１１４）。図５に、編集画面の表示例を示す。
【００３４】
Ｓ１１６では、この編集画面に表示された「戻る」の表示部が選択操作されたか否かに基づいて終了要求があるか否かを判定する。
【００３５】
Ｓ１１８では、編集画面に表示された「確定」の表示部が選択操作されたか否かに基づいて編集確定要求があるか否かを判定する。
【００３６】
ユーザにより編集画面に表示された「修正」または「削除」の表示部が選択操作された場合、Ｓ１１６、Ｓ１１８の各判定はＮＯとなり、Ｓ１１４へ戻る。すなわち、ユーザ操作に応じて登録内容の変更を継続する。
【００３７】
また、編集画面に表示された「確定」の表示部が選択操作されると、Ｓ１１６の判定はＮＯ、Ｓ１１８の判定はＹＥＳとなり、編集された登録内容を記憶装置１１に記憶させ（Ｓ１２０）、Ｓ１０８へ戻る。
【００３８】
また、図５に示した編集画面に表示された「戻る」の表示部が選択操作されると、Ｓ１１６の判定はＹＥＳとなり、Ｓ１０８へ戻り、図４に示した登録者嗜好情報表示画面の表示に戻る。
【００３９】
そして、この登録者嗜好情報表示画面に表示された「戻る」の表示部が選択操作されると、Ｓ１１０の判定はＹＥＳとなり、Ｓ１０２へ戻り、図３に示した登録者リスト表示画面の表示に戻る。
【００４０】
ここで、例えば、別の登録者が選択操作されると、Ｓ１０４の判定はＹＥＳとなり、この別の登録者に対して同様の処理を実施する。
【００４１】
また、登録者リスト表示画面に表示された「戻る」の表示部が選択操作されると、Ｓ１０４の判定はＹＥＳとなり、本処理を終了する。
【００４２】
次に、車両に不特定の同乗者が存在する場合に非表示とする楽曲を特定するための非表示楽曲特定処理について説明する。図６に、この非表示楽曲特定処理のフローチャートを示す。ユーザ操作により非表示楽曲特定処理の開始が指示されると、ＣＰＵ１６は、図６に示す非表示楽曲特定処理を開始する。
【００４３】
まず、記憶装置１１に記憶されている全ての楽曲の楽曲情報を読み出し、タイトル名、アーティスト名、ジャンルをリスト表示させる（Ｓ２００）。
【００４４】
そして、非表示とする楽曲をユーザ操作により指定させ、非表示とする楽曲を表す情報を記憶装置１１に記憶させ（Ｓ２０２）、本処理を終了する。
【００４５】
このようにして、車両に同乗者が存在する場合に非表示とする楽曲の楽曲情報が記憶装置１１に記憶される。
【００４６】
次に、楽曲情報表示処理について説明する。図７に、楽曲情報表示処理のフローチャートを示す。ユーザの操作により楽曲情報表示処理の開始が指示されると、ＣＰＵ１６は、図６に示す楽曲情報表示処理を開始する。
【００４７】
まず、保存タイトル名を取得する（Ｓ３００）。具体的には、記憶装置１１に記憶されている全ての楽曲の楽曲情報（タイトル名、アーティスト名、ジャンル）を取得する。
【００４８】
次に、同乗者の有無を確認し（Ｓ３０２）、車両に同乗者が存在するか否かを判定する（Ｓ３０４）。同乗者の有無は、前述した乗員特定処理により確認することができる。
【００４９】
車両内に同乗者が存在しない場合、Ｓ３０２の判定はＮＯとなり、次に、表示リストを作成する（Ｓ３０６）。ここでは、記憶装置１１に記憶されている全ての楽曲の楽曲情報（タイトル名、アーティスト名、ジャンル）を並べた表示リストを作成する。
【００５０】
次に、この表示リストに従って楽曲情報を表示部１２に表示させる（Ｓ３０８）。図８に、表示画面の表示例を示す。このように、車両内に同乗者が存在しない場合には、記憶装置１１に記憶されている全ての楽曲の楽曲情報（タイトル名、アーティスト名、ジャンル）がリスト表示される。なお、表示画面に全ての楽曲の楽曲情報を表示できない場合には、複数のページに分割して全ての楽曲の楽曲情報が表示される。
【００５１】
また、車両内に同乗者が存在する場合、Ｓ３０２の判定はＹＥＳとなり、次に、同乗者を特定する（Ｓ３１０）。同乗者の特定は、前述した乗員特定処理により特定することができる。
【００５２】
次に、登録情報があるか否か判定する（Ｓ３１２）。具体的には、前述した嗜好情報登録処理により同乗者の嗜好情報が記憶装置１１に記憶されているか否かを判定する。
【００５３】
ここで、同乗者の嗜好情報が記憶装置１１に記憶されている場合、Ｓ３１２の判定はＹＥＳとなり、次に、同乗者嗜好情報を取得する（Ｓ３１４）。すなわち、同乗者の嗜好情報を記憶装置１１から取得する。
【００５４】
次に、表示リストを作成する（Ｓ３１６）。ここでは、記憶装置１１に記憶されている全ての楽曲から、同乗者の嗜好に合わない楽曲を除外した表示リストを作成する。
【００５５】
Ｓ３０８では、この表示リストに従って楽曲情報を表示部１２に表示させる。図９に、表示画面の表示例を示す。この表示例では、アニメソングが非表示となっている。
【００５６】
このように、車両内に同乗者が存在し、かつ、記憶装置１１に同乗者の嗜好情報が登録されている場合には、記憶装置１１に記憶されている全ての楽曲から同乗者の嗜好に合わない楽曲を除外した楽曲情報（タイトル名、アーティスト名、ジャンル）がリスト表示される。
【００５７】
また、車両内に同乗者が存在し、かつ、同乗者の嗜好情報が記憶装置１１に記憶されていない場合、次に、表示リスト（汎用リスト）を作成する（Ｓ３１８）。ここでは、記憶装置１１に記憶されている全ての楽曲から、前述した非表示楽曲特定処理により記憶装置１１に記憶された非表示とする楽曲を除外した表示リストを作成する。
【００５８】
Ｓ３０８では、この表示リスト（汎用リスト）に従って楽曲情報を表示部１２に表示させる。図１０に、表示画面の表示例を示す。この表示例では、演歌とクラッシックが非表示となっている。
【００５９】
このように、車両内に同乗者が存在し、かつ、記憶装置１１に同乗者の嗜好情報が登録されていない場合には、非表示楽曲特定処理により記憶装置１１に記憶された非表示とする楽曲を除外した楽曲情報（タイトル名、アーティスト名、ジャンル）がリスト表示される。
【００６０】
上記した構成によれば、車両内に同乗者が存在し、かつ、記憶装置１１に同乗者の嗜好情報が登録されている場合には、記憶装置１１に記憶されている全ての楽曲から同乗者の嗜好に合わない楽曲を除外した楽曲情報（タイトル名、アーティスト名、ジャンル）がリスト表示され、車両内に同乗者が存在し、かつ、記憶装置１１に同乗者の嗜好情報が登録されていない場合には、非表示楽曲特定処理により記憶装置１１に記憶された非表示とする楽曲を除外した楽曲情報（タイトル名、アーティスト名、ジャンル）がリスト表示される。すなわち、同乗者に知られたくない楽曲情報を同乗者に知られないようにすることが可能である。
【００６１】
また、同乗者の嗜好に合わない楽曲を表す情報は、楽曲のタイトル名、楽曲のアーティスト名および楽曲のジャンルのいずれかを表す情報とすることができる。
【００６２】
（第２実施形態）
本実施形態に係る車載オーディオ装置１の構成は、図１に示した上記第１実施形態の構成と同じである。上記第１実施形態では、乗車する可能性のある人物の楽曲に関する嗜好情報をマニュアル操作で登録する嗜好情報手動登録処理を実施する例を示したが、本実施形態では、同乗者の操作履歴から同乗者の嗜好を自動で登録する嗜好情報自動登録処理を実施する。
【００６３】
図１１−ａ、図１１−ｂに、嗜好情報自動登録処理のフローチャートを示す。乗員の操作に応じて記憶装置１１に記憶された楽曲の再生が開始されると、ＣＰＵ１６は、図１１−ａ、図１１−ｂに示す処理を実施する。
【００６４】
まず、助手席の同乗者を特定する（Ｓ４００）。同乗者を特定は、前述した乗員特定処理により特定することができる。
【００６５】
次に、助手席からの操作があるか否かを判定する（Ｓ４０２）。助手席からの操作があるか否かの判定は、タッチスイッチより入力される信号および赤外線センサ１５より入力される信号に基づいて行うことができる。
【００６６】
ここで、助手席の同乗者によりタッチスイッチへのタッチ操作が行われると、Ｓ４０２の判定はＹＥＳとなり、次に、楽曲が最後まで再生されたか否かを判定する（Ｓ４０４）。
【００６７】
ここで、楽曲が最後まで再生された場合、Ｓ４０４の判定はＹＥＳとなり、嗜好ポイントを１ポイント増加させる（Ｓ４０６）。具体的には、再生中の楽曲に対する同乗者の嗜好を表す嗜好ポイントを１ポイント増加させて記憶装置１１に記憶させ、Ｓ４１４へ進む。
【００６８】
また、楽曲が最後まで再生されない場合、Ｓ４０４の判定はＮＯとなり、次に、トラックアップ操作またはトラックダウン操作があるか否かを判定する（Ｓ４０８）。
【００６９】
ここで、助手席の同乗者によりトラックアップ操作またはトラックダウン操作がなされると、Ｓ４０８の判定はＹＥＳとなり、次に、楽曲を１０秒以上再生したか否かを判定する（Ｓ４１０）。
【００７０】
ここで、楽曲を１０秒以上再生する前にトラックアップ操作またはトラックダウン操作がなされている場合、Ｓ４１０の判定はＮＯとなり、嗜好ポイントを１ポイント減少させる（Ｓ４１２）。具体的には、再生中の楽曲に対する同乗者の嗜好を表す嗜好ポイントを１ポイント減少させて記憶装置１１に記憶させ、Ｓ４１４へ進む。
【００７１】
また、助手席の同乗者によりトラックアップ操作またはトラックダウン操作がなされない場合、あるいは、楽曲を１０秒以上再生してからトラックアップ操作またはトラックダウン操作がなされた場合には、嗜好ポイントを変化させることなく、Ｓ４１４へ進む。
【００７２】
Ｓ４１４では、ボリュームアップ操作があるか否かを判定し、Ｓ４１６では、ボリュームダウン操作があるか否かを判定する。
【００７３】
助手席の同乗者によりボリュームアップ操作がなされた場合、Ｓ４１４の判定はＹＥＳとなり、嗜好ポイントを１ポイント増加させ（Ｓ４１８）、Ｓ４２２へ進む。
【００７４】
また、助手席の同乗者によりボリュームダウン操作がなされた場合には、Ｓ４１６の判定はＹＥＳとなり、嗜好ポイントを１ポイント減少させ（Ｓ４２０）、Ｓ４２２へ進む。
【００７５】
なお、ボリュームアップ操作とボリュームダウン操作のいずれの操作もなされない場合、Ｓ４１４、Ｓ４１６の各判定はＮＯとなり、嗜好ポイントを変化させることなく、Ｓ４２２へ進む。
【００７６】
Ｓ４２２では、助手席の同乗者により他の音楽ソースへの切替があるか否かを判定する。例えば、記憶装置１１に記憶された楽曲再生からＣＤに記憶された楽曲再生への切替があったか否かを判定する。
【００７７】
ここで、助手席の同乗者により他の音楽ソースへの切替がなされた場合、Ｓ４２２の判定はＹＥＳとなり、嗜好ポイントを１ポイント減少させ（Ｓ４２４）、Ｓ４２６へ進む。
【００７８】
また、助手席の同乗者により他の音楽ソースへの切替がなされない場合、Ｓ４２４の判定はＮＯとなり、Ｓ４２６へ進む。
【００７９】
Ｓ４２６では、再生中の楽曲に対する助手席の同乗者の嗜好ポイントが５ポイント以上になっているか否かを判定する。
【００８０】
再生中の楽曲に対する助手席の同乗者の嗜好ポイントが５ポイント未満の場合、Ｓ４２６の判定はＮＯとなり、Ｓ４３８へ進む。
【００８１】
また、再生中の楽曲に対する助手席の同乗者の嗜好ポイントが５ポイント以上の場合には、再生中の楽曲が好みに合う楽曲として登録されているか否かを判定する（Ｓ４２８）。
【００８２】
次に、再生中の楽曲が好みに合う楽曲として登録されていない場合には、再生中の楽曲を好みに合う楽曲として登録し（Ｓ４３０）、再生中の楽曲に対する助手席の同乗者の嗜好ポイントを０ポイントにリセットする（Ｓ４３２）。
【００８３】
次に、再生中の楽曲が嫌いな楽曲として登録されているか否かを判定する（Ｓ４３４）。
【００８４】
ここで、再生中の楽曲が嫌いな楽曲として登録されていない場合、Ｓ４３４の判定はＮＯとなり、Ｓ４３８へ進む。
【００８５】
また、再生中の楽曲が嫌いな楽曲として登録されている場合、Ｓ４３４の判定はＹＥＳとなり、嫌いな楽曲としての登録を削除し（Ｓ４３６）、Ｓ４３８へ進む。
【００８６】
Ｓ４３８では、再生中の楽曲に対する助手席の同乗者の嗜好ポイントが−５ポイント以下になっているか否かを判定する。
【００８７】
ここで、再生中の楽曲に対する助手席の同乗者の嗜好ポイントが５ポイント以下となっている場合、Ｓ４３８の判定はＮＯとなり、Ｓ４３８へ進む。
【００８８】
また、再生中の楽曲に対する助手席の同乗者の嗜好ポイントが５ポイント以上の場合、次に、嫌いな楽曲として登録されているか否かを判定する（Ｓ４４０）。
【００８９】
嫌いな楽曲として登録されていない場合には、再生中の楽曲を嫌いな楽曲として登録し（Ｓ４４２）、再生中の楽曲に対する助手席の同乗者の嗜好ポイントを０ポイントにリセットする（Ｓ４４４）。
【００９０】
次に、再生中の楽曲が好みの楽曲として登録されているか否かを判定する（Ｓ４４６）。
【００９１】
ここで、再生中の楽曲が好みの楽曲として登録されていない場合、Ｓ４４６の判定はＮＯとなり、本処理を終了する。
【００９２】
また、再生中の楽曲が好みの楽曲として登録されている場合、Ｓ４４６の判定はＮＯとなり、好きな楽曲としての登録を削除し（Ｓ４４８）、本処理を終了する。
【００９３】
上記したように、記憶装置１１に記憶された楽曲の再生時における同乗者による再生中断操作または音量低下操作に応じて同乗者の嗜好に合わない楽曲を表す情報を特定することができる。
【００９４】
なお、本発明は上記実施形態に限定されるものではなく、本発明の趣旨に基づいて種々なる形態で実施することができる。
【００９５】
例えば、上記実施形態では、マイク１８を用いて集音した車室内の乗員の音声と、予め記憶しておいた乗員の音声を比較して同乗者の有無の判定および同乗者の特定を行う例を示したが、このような例に限定されるものではなく、例えば、座席に設けられた着座センサを用いて同乗者の有無を判定するようにしてもよく、また、カメラを用いて同乗者を撮影し、この撮影画像に画像認識処理を施して同乗者を特定するようにしてもよい。
【００９６】
また、上記第２実施形態では、タッチスイッチより入力される信号および車載オーディオ装置１の前面パネルの助手席側に設けられた赤外線センサ１５より入力される信号に基づいて助手席からの操作があるか否かの判定を行う例を示したが、このような例に限定されるものではなく、他の手法を用いて助手席からの操作があるか否かの判定を行うようにしてもよい。
【００９７】
なお、上記実施形態における構成と特許請求の範囲の構成との対応関係について説明すると、Ｓ３０４が同乗者判定手段に相当し、記憶装置１１が記憶媒体に相当し、Ｓ３１６、Ｓ３１８が表示リスト作成手段に相当し、Ｓ３０８が表示制御手段に相当し、Ｓ３１０が同乗者識別手段に相当し、Ｓ３１２が嗜好情報記憶判定手段に相当する。
【図面の簡単な説明】
【００９８】
【図１】本発明の第１、第２実施形態に係る車載オーディオ装置の構成を示す図である。
【図２】嗜好情報登録処理のフローチャートである。
【図３】登録者リスト画面の表示例を表した図である。
【図４】登録者嗜好情報表示画面の表示例を表した図である。
【図５】編集画面の表示例を表した図である。
【図６】非表示楽曲特定処理のフローチャートである。
【図７】楽曲情報表示処理のフローチャートである。
【図８】楽曲情報表示処理における表示画面の表示例を表した図である。
【図９】楽曲情報表示処理における表示画面の表示例を表した図である。
【図１０】楽曲情報表示処理における表示画面の表示例を表した図である。
【図１１−ａ】嗜好情報自動登録処理のフローチャートである。
【図１１−ｂ】嗜好情報自動登録処理のフローチャートである。
【符号の説明】
【００９９】
１    車載オーディオ装置
１０  操作部
１１  記憶装置
１２  表示部
１３  オーディオ制御部
１４  アンプ
１５  赤外線センサ
１６  ＣＰＵ
１７  スピーカ
１８  マイク
【図１】
2009176338.tif 000003
【図２】
2009176338.tif 000004
【図３】
2009176338.tif 000005
【図４】
2009176338.tif 000006
【図５】
2009176338.tif 000007
【図６】
2009176338.tif 000008
【図７】
2009176338.tif 000009
【図８】
2009176338.tif 000010
【図９】
2009176338.tif 000011
【図１０】
2009176338.tif 000012
【図１１−ａ】
2009176338.tif 000013
【図１１−ｂ】
2009176338.tif 000014